(57)【要約】      （修正有）【課題】表示装置の表示部の視認性向上。【解決手段】面発光装置２０の導光板２１の端面に複数配設される光源２２を保持する為の複数の貫通孔２３ａ１を設け、これら各貫通孔２３ａ１の壁面から入射した各光源からの光Ｌ２が内部で拡散するよう成形した光源保持体２３を用いること。ここで、光源保持体は、例えば、白色系材料を成形してもよい。また、その面発光装置には各光源の背面側に当該各光源の制御基板を配設してもよく、かかる場合には、その制御基板の少なくとも各光源側を白色系にしてもよい。【選択図】        図３
2004192911.tif 000002
【特許請求の範囲】
【請求項１】
表示装置の表示部を背面から照明する面発光装置の光源を保持する光源保持体であって、
前記面発光装置の導光板の端面に複数配設される前記光源を保持する為の複数の貫通孔を設け、該各貫通孔の壁面から入射した前記各光源からの光が内部で拡散するよう成形したことを特徴とする光源保持体。
【請求項２】
表示装置の表示部を背面から照明する面発光装置の光源を保持する光源保持体であって、
前記面発光装置の導光板の端面に複数配設される前記光源を保持する為の複数の貫通孔を設け、該各貫通孔の壁面から入射した前記各光源からの光が内部で拡散するよう成形した白色系のものであることを特徴とする光源保持体。
【請求項３】
導光板と当該導光板の端面に複数配設した光源とを備え、該各光源からの光を前記導光板を介して表示装置の表示部に背面から照明する面発光装置であって、
前記各光源を保持する複数の貫通孔が形成され、且つ当該各貫通孔の壁面から入射した前記各光源からの光が内部で拡散するよう成形された光源保持体を設けることを特徴とした面発光装置。
【請求項４】
導光板と当該導光板の端面に複数配設した光源とを備え、該各光源からの光を前記導光板を介して表示装置の表示部に背面から照明する面発光装置であって、
前記各光源を保持する複数の貫通孔が形成され、且つ当該各貫通孔の壁面から入射した前記各光源からの光が内部で拡散するよう成形された白色系の光源保持体を設けることを特徴とした面発光装置。
【請求項５】
前記各光源の背面側に当該各光源の制御基板を配設し、少なくとも当該制御基板における各光源側を白色系にすることを特徴とした請求項３又は４に記載の面発光装置。
【請求項６】
表示部を有する表示板，該表示板の表示部を外部から見得る開口部が設けられた収納体，及び当該収納体の内部に配設され、前記表示板の背面に光を照明する導光板と当該導光板の端面に複数配設された前記光の光源とを有する面発光装置を備えた表示装置であって、
前記面発光装置に、前記各光源を保持する複数の貫通孔が形成され、且つ当該各貫通孔の壁面から入射した前記各光源からの光が内部で拡散するよう成形された光源保持体を設けることを特徴とした表示装置。
【請求項７】
表示部を有する表示板，該表示板の表示部を外部から見得る開口部が設けられた収納体，及び当該収納体の内部に配設され、前記表示板の背面に光を照明する導光板と当該導光板の端面に複数配設された前記光の光源とを有する面発光装置を備えた表示装置であって、
前記面発光装置に、前記各光源を保持する複数の貫通孔が形成され、且つ当該各貫通孔の壁面から入射した前記各光源からの光が内部で拡散するよう成形された白色系の光源保持体を設けることを特徴とした表示装置。
【請求項８】
前記各光源の背面側に当該各光源の制御基板を配設し、少なくとも当該制御基板における各光源側を白色系にすることを特徴とした請求項６又は７に記載の表示装置。
【発明の詳細な説明】
【０００１】
【発明の属する技術分野】
本発明は、各種標識や案内等の表示部が記された表示板を備える表示装置に係り、特に、夜間等の視認性に劣る環境下でも表示内容を確実に知らしめる為に表示板を照明する面発光装置及び当該面発光装置を備えた表示装置，更にはその面発光装置の光源を保持する光源保持体に関する。
【０００２】
【従来の技術】
従来、各種標識や案内等が記された表示板は、夜間等の視認性に劣る環境下においても表示内容を確実に認識させる為、その表示部分を照明する光源と共に構成された表示装置として設置されている。例えばこの従来の表示装置の光源としては、表示板の外面（人が表示内容を見る側の面）又は内面に配設された蛍光灯がある。しかしながら、このような蛍光灯を光源とする表示装置では、遠方からの視認性，表示部の照明ムラや輝き等の点で難があり、また蛍光灯の寿命が一年程度であることから保守性に劣る、という不都合があった。特に、表示装置を道路標識案内板として使用する場合にあっては、その要求性能として、夜間点灯時に遠方（概ね１５０ｍ）からでも標識内容が十分に確認できること、標識部分での照明ムラが少ないこと、標識部分（板面）に輝きが少ないこと、照明灯器の保守が容易であること、光源の寿命が長いこと等が求められていることから、その不都合がより顕著なものとなってしまう。そこで、かかる不都合を改善する為、表示装置の光源に発光ダイオード（以下「ＬＥＤ」という。）を使用することが考えられた。例えば、この発光ダイオードを用いた表示装置としては特開２０００−３３８９０８号公報に開示されたものがある。
【０００３】
【特許文献１】
特開２０００−３３８９０８号公報
【０００４】
【発明が解決しようとする課題】
しかしながら、従来の発光ダイオードを用いた表示装置は、ＬＥＤを光源とすることで上記不都合の改善に寄与することはできるが、特に屋外に設置される場合には使用環境が変化するので、同じ夜間であっても晴雨等の天候如何で表示部の視認性が悪化してしまう場合がある。即ち、この従来の表示装置では、標識や案内を主たる機能とする表示装置の性質上、如何なる環境下であっても表示内容が認識できることが重要であるにも拘わらず、その使用環境によっては標識や案内を明示することができない虞がある、という不都合が生じてしまう。このようなことから、表示部の視認性の更なる改善が望まれている。
【０００５】
そこで、本発明は、かかる従来例の有する不都合を改善し、表示部の視認性向上に好適な光源保持体及び当該光源保持体を備えた面発光装置及び当該面発光装置を備えた表示装置を提供することを、その目的とする。
【０００６】
【課題を解決するための手段】
上記目的を達成する為、本発明に係る光源保持体は、面発光装置の導光板の端面に複数配設される光源を保持する為の複数の貫通孔を設け、これら各貫通孔の壁面から入射した各光源からの光が内部で拡散するよう成形している。ここで、この光源保持体は、例えば白色系材料で成形してもよい。
【０００７】
また、上記目的を達成する為、本発明に係る面発光装置は、導光板の端面に複数配設した光源を保持する複数の貫通孔が形成され、且つ当該各貫通孔の壁面から入射した各光源からの光が内部で拡散するよう成形された光源保持体を設けている。ここで、この光源保持体は、例えば白色系材料で成形してもよい。また、この面発光装置には各光源の背面側に当該各光源の制御基板を配設してもよく、かかる場合には、その制御基板の少なくとも各光源側を白色系にしてもよい。
【０００８】
また、上記目的を達成する為、本発明に係る表示装置は、表示部を有する表示板，この表示板の表示部を外部から見得る開口部が設けられた収納体，及び当該収納体の内部に配設され、前記表示板の背面に光を照明する導光板と当該導光板の端面に複数配設された前記光の光源とを有する面発光装置を備えており、この面発光装置に、各光源を保持する複数の貫通孔が形成され、且つ当該各貫通孔の壁面から入射した各光源からの光が内部で拡散するよう成形された光源保持体を設けている。ここで、この光源保持体は、例えば白色系材料で成形してもよい。また、その面発光装置には各光源の背面側に当該各光源の制御基板を配設してもよく、かかる場合には、その制御基板の少なくとも各光源側を白色系にしてもよい。
【０００９】
【発明の実施の形態】
［第一実施形態］
本発明に係る表示装置の第一実施形態について図１から図５を用いて説明する。
【００１０】
図１及び図２の符号１Ａは本実施形態の表示装置を示す。この表示装置１Ａは、図１及び図２に示す如く、標識や案内等の表示部が設けられた透光性を有する表示板１０と、この表示板１０を背面から照明する面発光装置２０と、この面発光装置２０を収納し且つ当該面発光装置２０からの光を表示板１０を介して外部に照射する開口部３０ａ１を備えた収納体３０とを有する。以下、これら各構成について詳述する。
【００１１】
この表示装置１Ａの表示板１０は、例えば合成樹脂で成形された乳白色の板状部材であって、本実施形態にあっては略矩形に形成されている。ここで、この表示板１０には前述した如く標識や案内等の文字や図形が記された表示部が設けられている。この表示部としては上記板状部材に文字や図形を転写して形成したもの等種々の形態が考えられるが、本実施形態にあっては、図２に示す如く、上記板状部材を表示板主体１１とし、この表示板主体１１に樹脂フィルム１２を貼着することで表示部を構成している。例えば、透明の樹脂フィルム１２に所望の標識や案内等の文字や図形を印刷し、これを表示板主体１１に貼着して表示部とする。または、樹脂フィルム１２自体を所望の標識や案内等の文字や図形に形成し、これを表示板主体１１に貼着して表示部とする。尚、図２においては樹脂フィルム１２が表示板主体１１の前面（開口部３０ａ１側の面）に貼着されたものを例示しているが、その背面に貼着してもよい。また、表示部の表示内容は図１に示すものに限定するものではない。
【００１２】
上記の如く構成した表示板１０は、表示部が収納体３０の外部から見えるように当該収納体３０の開口部３０ａ１に配設され、この開口部３０ａ１に対して例えば螺子等の締結部材（図示略）を用いて固定される。例えば本実施形態の収納体３０には開口部３０ａ１をなす図１に示す延設部３０ａ２が設けられているので、その表示板１０は、その周縁部を収納体３０の内側から延設部３０ａ２に当接させて螺着している。尚、この表示板１０の取付方法としては、収納体３０の外側から延設部３０ｂに当接させて螺着してもよく、また収納体３０に延設部３０ａ２がない場合等にはＬ字型ブラケット等の取付部材（図示略）を介在させて取り付けてもよい。
【００１３】
次に、この表示装置１Ａの面発光装置２０について説明する。この面発光装置２０は、図２に示す如く、上記表示板１０の背面に所定の間隙を設けて配設された略矩形の導光板２１と、この導光板２１の端面に向けて光を照射する複数のＬＥＤ２２と、その導光板２１の端部に配設され、且つ各ＬＥＤ２２を個々に嵌装する光源保持体２３と、この光源保持体２３に取設され、各ＬＥＤ２２への電源供給や各ＬＥＤ２２の点灯間隔等のＬＥＤ点灯制御を行う基板２４とを備える。ここで、本実施形態では、各ＬＥＤ２２が導光板２１の一端（図２に例示したものでは上端）に沿って図３に示す如く所定の間隔で配設された面発光装置２０を例示している。また、ここでは上記ＬＥＤ２２として白色ＬＥＤを使用する。
【００１４】
本実施形態の導光板２１としては、図４に示す如く、例えばアクリル樹脂等の合成樹脂で成形された略矩形の透明な板状部材からなる導光板主体２１ａと、この導光板主体２１ａの背面に設けた複数の点状の光拡散体２１ｂと、この導光板主体２１ａの背面及び各光拡散体２１ｂを被覆する略矩形の反射シート２１ｃとで構成されたものを用いる。
【００１５】
ここで、上記光拡散体２１ｂは、導光板主体２１ａの背面において各ＬＥＤ２２の配列方向と略平行に所定の間隔で複数配列され、この光拡散体列を所定の間隔で複数設けてグラデーションパターンを形成している。また、この光拡散体２１ｂは、各ＬＥＤ２２から（本実施形態にあっては導光板主体２１ａの上端から）遠ざかるにつれて導光板主体２１ａの背面における被覆面積が大きくなるように設けられている。例えば具体的な光拡散体２１ｂとしては、導光板主体２１ａの背面に白色の物質（酸化チタン等の光学的な吸収がなく反射率の高いもの）をスクリーン印刷して形成したもの、白色物質が印刷された透明な樹脂シートを導光板主体２１ａの背面に貼着したもの等が考えられる。また、導光板主体２１ａの射出成形の際に、その背面に微細な凹凸を設けることで各光拡散体２１ｂを形成してもよい。このように各光拡散体２１ｂを設けることで、導光板主体２１ａ内を反射しながら進行してきた反射光の入射角に対する反射角を変更させることが可能となり、これにより導光板主体２１ａの前面から表示板１０に向けた光の出射を行うことができる。
【００１６】
続いて、上記反射シート２１ｃとは、導光板主体２１ａの端面から入射された上記各ＬＥＤ２２の光が背面に洩れないようにする為、更にその入射光を反射させて前述した表示板１０に効率よく照射する為のものである。ここで、本実施形態の反射シート２１ｃは、導光板主体２１ａと略同等の大きさに形成されており、導光板主体２１ａに対して例えばその上下端で両面テープを用いて貼着されている。
【００１７】
尚、上記の如き導光板２１に替えて、導光板主体２１ａ自体に反射拡散物質を混入したものを導光板として使用してもよい。
【００１８】
続いて、本実施形態の光源保持体２３について説明する。本実施形態にあっては、各ＬＥＤ２２を導光板２１の端面に沿い且つ所定の間隔を設けて一列に配設する為の所謂単列ＬＥＤ用の光源保持体２３を例示する。
【００１９】
この本実施形態の光源保持体２３は、図３及び図４に示す如く、各ＬＥＤ２２を夫々嵌装する複数の貫通孔（以下「ＬＥＤ保持孔」という。）２３ａ１が一列に形成された光源保持主体２３ａと、この光源保持主体２３ａを上記導光板２１に固定する為の導光板被固定部２３ｂとを備えている。例えばこの図３及び図４に示す光源保持体２３にあっては、略直方体状の光源保持主体２３ａから同一方向に所定の間隔を設けて垂設された図４に示す二つの対向する固定片２３ｂ１を導光板被固定部２３ｂとして用いている。ここで、この夫々の固定片２３ｂ１の間隔は導光板２１の厚さに対応させたものとなっており、夫々の固定片２３ｂ１の間に導光板２１を嵌挿することで双方間における固定が図られる。尚、かかる固定の際は、接着剤を用いてもよく、固定片２３ｂ１と導光板２１とを螺子部材等で螺着してもよい。
【００２０】
更に、本実施形態の光源保持体２３には、上記基板２４を固定する為の図３及び図４に示す基板固定部２３ｃが光源保持主体２３ａから立設されている。例えば本実施形態にあっては基板２４が螺子部材で固定される構造を採っているので、その基板固定部２３ｃには図３（ｂ）に示す基板固定用の雄螺子２５を螺合する為の図３（ａ）に示す雌螺子部２３ｃ１が形成されている。ここで、例えば上記図３及び図４に示すコ字状の光源保持体２３においては、その導光板被固定部２３ｂとは反対側（ＬＥＤ２２の端子側）に基板固定部２３ｃを設けている。尚、図示しないが、雄螺子２５を予め雌螺子部２３ｃ１に螺合しておくスタッドボルトの如き構造とし、ナットを用いて基板２４を固定してもよく、このようにすることで固定作業時の位置決めが容易になるので作業性の向上が図れる。また、螺子部材を用いずに基板２４が嵌合できるよう基板固定部２３ｃを形成してもよい。
【００２１】
尚、上記基板２４は、図示しない電源供給装置に接続される。
【００２２】
ここで、この面発光装置２０は、導光板２１の端面から入射したＬＥＤ２２の光が導光板２１の内部での反射と前面への出射を繰り返して表示板１０を照明する。これにより表示装置１Ａにおいて表示板１０の表示部が夜間等でも認識できるようになるのであるが、前述した如き悪天候等の環境下においても表示部の視認性を確固たるものとする必要がある。
【００２３】
そこで、本実施形態にあっては、ＬＥＤ２２からの直接光だけでなく、導光板２１に直接入射できないＬＥＤ２２の光も利用して面発光装置２０の均整度や輝度を更に向上させる。その為、本実施形態では、光源保持体２３を、ＬＥＤ２２の光がＬＥＤ保持孔２３ａ１の壁面から入射すると共にその光の一部が内部で反射するように、即ちその内部において光を拡散させるように構成する。
【００２４】
具体的な本実施形態の光源保持体２３は、光の透過率の高い合成樹脂（アクリルやポリカーボネート等）に白色や乳白色等の白色系の顔料を混合したものを材料として用いて成形する。
【００２５】
これは、光の透過率の低い又は光が透過しない材料で成形した光源保持体２３Ａでは、図５（ａ）に示す如く従来と同様にＬＥＤ２２からの直接光Ｌ１のみしか導光板２１に入射せず、また光の透過率の高い材料のみで成形した光源保持体２３Ｂでは、図５（ｂ）に示す如く導光板２１に直接入射できないＬＥＤ２２の光Ｌ２の殆どがそのまま外部に透過してしまうからである。
【００２６】
これに対して上記の如き本実施形態の光源保持体２３では、ＬＥＤ２２からの直接光Ｌ１が導光板２１に入射するのは勿論であるが、図５（ｃ）に示す如く、導光板２１に直接入射できないＬＥＤ２２の光Ｌ２は光源保持体２３の内部で拡散し、その拡散光Ｄまでもが導光板２１に入射する。つまり、本実施形態の光源保持体２３を用いれば導光板２１への入射光が増量し、面発光装置２０の均整度や輝度が向上すると共に、その導光板２１から表示板１０への出射光も増量する。そして、これにより表示部の視認性を更に向上させることができる。尚、図５においては、便宜上、直接光Ｌ１及び導光板２１に直接入射できない光Ｌ２を一方向のみ図示している。また同様に、拡散光Ｄについては導光板２１へと入射するもののみを図示しているが、実際は光源保持体２３の外部へと透過する拡散光も存在する。
【００２７】
次に、この表示装置１Ａの収納体３０について説明する。本実施形態の収納体３０は、略矩形の表示板１０に対応させて略方形に形成される。この収納体３０には前述した如く開口部３０ａ１及び延設部３０ａ２が設けられており、本実施形態では、表示板１０や面発光装置２０の収納及び取り付け時の作業性を考慮して、図２に示す如く前面フレーム３０ａ及び背面フレーム３０ｂの二分割構造を採っている。ここで、本実施形態にあっては収納体３０をステンレス鋼板やアルミニウム鋼板等の鋼板で形成するが、その強度や表示装置の使用環境等を勘案した上で合成樹脂を用いてもよい。
【００２８】
以上示したように、上記の如き光源保持体２３を備えた面発光装置２０を用いて表示装置１Ａを構成することにより、劣悪な環境下であっても表示装置１Ａの表示部を認識させることができる。
【００２９】
ここで本実施形態にあっては、更に表示部を認識させ易くする為に、基板２４の回路パターンを除いた部分を白色系にしている。例えば、このような基板２４としては、それ自体を白色系材料で成形して、これに回路パターンを形成したものもあれば、その少なくともＬＥＤ２２の背面（端子側）と対向する面の回路パターンを除いた部分に白色系塗料等を塗布したものもある。尚、後者の基板２４の場合は、生産性を考慮して回路パターン形成時に当該回路パターンと共に塗布することが望ましい。このように基板２４までも白色系にすることで、ＬＥＤ２２の後方（基板２４側）に洩れた光を基板２４で反射させ、この反射光をも導光板２１に入射させることができる。そして、これにより導光板２１への入射光が更に増量し、面発光装置２０の均整度や輝度が向上するので、表示部の視認性の更なる向上が図れる。
【００３０】
［第二実施形態］
次に、本発明に係る表示装置の第二実施形態について図１及び図６を用いて説明する。
【００３１】
図１及び図６の符号１Ｂは本実施形態の表示装置を示す。この表示装置１Ｂは、図１及び図６に示す如く、標識や案内等の表示部が設けられた透光性を有する表示板１０と、この表示板１０を背面から照明する面発光装置１２０と、この面発光装置１２０を収納し且つ当該面発光装置１２０からの光を表示板１０を介して外部に照射する開口部３０ａ１を備えた収納体３０とを有する。即ち、この表示装置１Ｂは、前述した第一実施形態の表示装置１Ａにおいて面発光装置２０を図５に示す面発光装置１２０に代替したものである。これが為、以下においては、表示板１０及び収納体３０の説明を省略し、その面発光装置１２０についてのみの説明を行う。
【００３２】
本実施形態の面発光装置１２０は、図６に示す如く、上記表示板１０の背面に所定の間隙を設けて配設された略矩形の導光板１２１と、この導光板１２１の対向する両端面（図６に例示したものでは上下端面）に夫々配設され、その端面に向けて光を照射する複数のＬＥＤ２２と、その導光板１２１の両端部に夫々配設され、且つ各ＬＥＤ２２を個々に嵌装する二つの光源保持体２３と、これら各光源保持体２３に夫々取設され、各ＬＥＤ２２への電源供給や各ＬＥＤ２２の点灯間隔等のＬＥＤ点灯制御を行う二つの基板２４とを備える。即ち、この面発光装置１２０とは、簡単にいえば、前述した第一実施形態の面発光装置２０に、ＬＥＤ２２，光源保持体２３及び基板２４の組をもう一組追加したものである。
【００３３】
ここで、本実施形態の導光板１２１は、第一実施形態の導光板２１と同様の構成からなるものを用いるが、この導光板２１とは次の点で異なる。具体的には、導光板主体，光拡散体及び反射シートからなる導光板１２１を使用する場合、第一実施形態の導光板２１と同様に複数の光拡散体が導光板主体の背面でグラデーションパターンを形成しているが、本実施形態の導光板１２１にあっては、その各光拡散体を、両端のＬＥＤ２２から（本実施形態にあっては導光板主体の上端及び下端から）遠ざかるにつれて導光板主体の背面における被覆面積が大きくなるように設けている。即ち、各光拡散体は、導光板主体の背面の略中間部分において最も被覆面積が大きくなっている。
【００３４】
以上の如き構成の表示装置１Ｂによれば、前述した第一実施形態と同様に表示部が視認し易くなることは勿論であるが、それに加えて更に光量が増加しているので更なる表示部の視識性の向上が図れる。
【００３５】
［第三実施形態］
次に、本発明に係る表示装置の第三実施形態について図１，図７及び図８を用いて説明する。
【００３６】
本実施形態の表示装置１Ｃは、前述した第一実施形態の表示装置１Ａが具備する面発光装置２０を図７（ｂ）及び図８に示す面発光装置２２０に置き換えたものである。更に詳しくは、第一実施形態の面発光装置２０の光源保持体２３を図７（ａ），（ｂ）に示す如き複列の光源保持体２２３に変更したものである。
【００３７】
この光源保持体２２３について具体的に説明すると、この光源保持体２２３とは、図７（ａ），（ｂ）に示す如く、ＬＥＤ２２を嵌装する複数のＬＥＤ保持孔２２３ａ１の列が複数形成された光源保持主体２２３ａと、第一実施形態の光源保持体２３と同様の導光板被固定部２２３ｂ及び基板固定部２２３ｃとが設けられたものである。
【００３８】
ここで、本実施形態においては、ＬＥＤ保持孔２２３ａ１の列を図７（ａ）に示す如く相互にずらして二列形成した（即ち各ＬＥＤ保持孔２２３ａ１をジグザグ状に設けた）ものを例示する。
【００３９】
尚、この面発光装置２２０では第一実施形態の面発光装置２０と比してＬＥＤ２２の配置が変更されているので、基板もその配置に対応させて第一実施形態の基板２４に対してＬＥＤ２２の取付位置や回路パターンが変更された基板２２４を用いている。
【００４０】
このような形状からなる本実施形態の光源保持体２２３は、前述した第一実施形態と同様に、その内部の拡散光が導光板２２１に入射するよう光の透過率の高い合成樹脂（アクリルやポリカーボネート等）に白色や乳白色等の白色系の顔料を混合したものを材料として用いて成形する。これが為、かかる光源保持体２２３を備えた表示装置１Ｃは、前述した第一実施形態と同様に表示部が認識し易くなるだけでなく、光源が増加しているので更なる表示部の視認性の向上が図れる。
【００４１】
ここで、図示しないが、前述した第二実施形態と同様に、ＬＥＤ２２，光源保持体２２３及び基板２２４を導光板２２１の対向する二つの端部に配設して面発光装置を構成してもよい。
【００４２】
尚、以上示した各実施形態においては略直方体状の表示装置１Ａ〜１Ｃを例示したが、その形状は必ずしもこれに限定するものではない。
【００４３】
また、以上の各実施形態で例示したコ字状の光源保持体２３，２２３は上述した如くして内部の拡散光が導光板に入射するよう構成していればよく、その形状については、各図で例示したものに限定するものではなく、例えば図９及び図１０に示す如くＬ字状にしてもよい。
【００４４】
この図９及び図１０に示す光源保持体３２３とは、前述した第一及び第二の実施形態の光源保持体２３と同様のＬＥＤ保持孔３２３ａ１が形成された光源保持主体３２３ａと、その光源保持体２３の固定片２３ｂ１を一片のみとした導光板被固定部３２３ｂとを備え、更にこのようなＬ字状のものに、その光源保持体２３と同様の雌螺子部３２３ｃ１を有する基板固定部３２３ｃを設けたものである。
【００４５】
ここで、このＬ字状の光源保持体３２３は例えば導光板２１に対して螺子部材で螺着する。これが為、その導光板被固定部３２３ｂには図９（ｂ）に示す雄螺子２６を挿通する為の図１０に示す如き貫通孔３２３ｂ１が、また導光板２１には光源保持体３２３の貫通孔３２３ｂ１との対応位置に雌螺子部（図示略）が形成されている。尚、図示しないが、雄螺子２６を予め導光板２１の雌螺子部に螺合しておくスタッドボルトの如き構造とし、ナットを用いて光源保持体３２３と導光板２１との固定を行ってもよく、このようにすることで固定作業時の位置決めが容易になるので作業性の向上が図れる。
【００４６】
以上の如きＬ字状の光源保持体３２３を用いて面発光装置を構成しても、前述した各実施形態と同様の効果を奏することが可能となる。
【００４７】
尚、この光源保持体３２３は、単列のものを代表して例示しているがＬＥＤ保持孔３２３ａ１を図７に示す光源保持体２２３と同様に複列設けたものであってもよい。
【００４８】
更に、以上示した各実施形態においては白色のＬＥＤ２２と白色系の光源保持体２３，２２３，３２３との組み合わせで例示したが、必ずしもこれに限定するものではなく、他の色のＬＥＤを使用してもよく、また他の色のＬＥＤを使用するのであれば、そのＬＥＤの色と同系色の光源保持体を使用してもよい。
【００４９】
【発明の効果】
本発明に係る光源保持体及び当該光源保持体を備えた面発光装置及び当該面発光装置を備えた表示装置によれば、光源の直接光だけでなく、光源保持体に吸収された光までも拡散光として導光板に入射させることができるので、面発光装置の均整度や輝度の向上が図れ、これにより表示装置の表示部の視認性を向上させることができる。また、制御基板をも白色系にすることで、光源の後方に洩れた光をも反射光として導光板に入射させることが可能になるので、更なる表示装置の表示部の視認性向上が図れる。
【図面の簡単な説明】
【図１】本発明に係る表示装置の一例を示す斜視図である。
【図２】本発明に係る表示装置の第一実施形態を示す図であって、この表示装置を図１に示すＩ−Ｉ線から見た断面図である。
【図３】第一実施形態の面発光装置に用いる光源保持体の一例を示す図であって、図３（ａ）はその上面図で、図３（ｂ）はその正面図である。
【図４】第一実施形態の光源保持体を図３（ｂ）に示すＩＩ−ＩＩ線から見た断面図である。
【図５】光源からの光の進路を説明する説明図であって、図５（ａ）は光の透過率の低い又は光が透過しない材料で成形した光源保持体を用いた場合、図５（ｂ）は光の透過率の高い材料のみで成形した光源保持体を用いた場合、図５（ｃ）は本発明に係る光源保持体を用いた場合を示す図である。
【図６】本発明に係る表示装置の第二実施形態を示す図であって、この表示装置を図１に示すＩ−Ｉ線から見た断面図である。
【図７】第二実施形態の面発光装置に用いる光源保持体の一例を示す図であって、図７（ａ）はその上面図で、図７（ｂ）はその正面図である。
【図８】第二実施形態の光源保持体を図７（ｂ）に示すＩＩＩ−ＩＩＩ線から見た断面図である。
【図９】本発明に係る光源保持体の他の例を示す図であって、図９（ａ）はその上面図で、図９（ｂ）はその正面図である。
【図１０】図９に例示した光源保持体を図９（ｂ）に示すＩＶ−ＩＶ線から見た断面図である。
【符号の説明】
１Ａ〜１Ｃ  表示装置
１０  表示板
２０，１２０，２２０  面発光装置
２１，１２１  導光板
２２  ＬＥＤ（光源）
２３，２２３，３２３  光源保持体
２３ａ，２２３ａ，３２３ａ  光源保持主体
２３ａ１，２２３ａ１，３２３ａ１  ＬＥＤ保持孔
２３ｂ，２２３ｂ，３２３ｂ  導光板被固定部
２３ｃ，２２３ｃ，３２３ｃ  基板固定部
２４，２２４  基板
３０  収納体
【図１】
2004192911.tif 000003
【図２】
2004192911.tif 000004
【図３】
2004192911.tif 000005
【図４】
2004192911.tif 000006
【図５】
2004192911.tif 000007
【図６】
2004192911.tif 000008
【図７】
2004192911.tif 000009
【図８】
2004192911.tif 000010
【図９】
2004192911.tif 000011
【図１０】
2004192911.tif 000012